(57)【要約】【課題】  給湯を止めることなくミキシングバルブの修理や交換が可能な温泉用給水管ユニットの提供。【解決手段】  温泉水が通される温泉水供給管路１と、水が通される給水管路２とを備え、これら管路１，２を流れる温泉水と水は、ミキシングバルブ３により混合され、排出管路８を介して浴槽に流出される。温泉水供給管路１は二又に分岐しており、一方の分岐路はミキシングバルブ３を介して排出管路８に接続されている。他方の分岐路４は、第１バルブ４２を介して排出管路８に接続されている。温泉水供給管路１の分岐部には、第１三方弁１６が設けられている。給水管路２は、二又に分岐しており、一方の分岐路はミキシングバルブ３を介して排出管路８に接続されている。他方の分岐路５は、第２バルブ５２を介して排出管路８に接続されている。給水管路２の分岐部には、第２三方弁２６が設けられている。【選択図】      図１
2005076241.tif 000002
【特許請求の範囲】
【請求項１】
温泉水供給管路は、二又に分岐しており、その一方はミキシングバルブを介して排出管路に接続され、他方は第１バルブを介して前記排出管路に接続されており、
給水管路は、二又に分岐しており、その一方は前記ミキシングバルブを介して前記排出管路に接続され、他方は第２バルブを介して前記排出管路に接続されている
ことを特徴とする温泉用給水管ユニット。
【請求項２】
前記温泉水供給管路の前記分岐部には第１三方弁が設けられており、ミキシングバルブ側又は第１バルブ側に選択的に温泉水を流すことが可能とされ、
給水管路の前記分岐部には第２三方弁が設けられており、ミキシングバルブ側又は第２バルブ側に選択的に水を流すことが可能とされており、
ミキシングバルブと排出管路の間には、開閉弁が設けられている
ことを特徴とする請求項１に記載の温泉用給水管ユニット。
【請求項３】
前記開閉弁を閉じつつ、前記第１三方弁により温泉水を第１バルブ側に流すと共に、前記第２三方弁により水を第２バルブ側に流すことで、浴槽への給湯を中断することなく、前記ミキシングバルブが第１バルブと第２バルブの間に取り換え可能に設けられた
ことを特徴とする請求項２に記載の温泉用給水管ユニット。
【請求項４】
前記ミキシングバルブは、その内部が防食処理を施されていることを特徴とする請求項１から請求項３までのいずれかに記載のミキシングバルブ。
【発明の詳細な説明】
【技術分野】
【０００１】
本発明は、大衆浴場等に湯を入れる際に、使用される給水管ユニットであって、特に温泉をためる際に使用される給水管ユニットに関するものである。
【背景技術】
【０００２】
従来、浴槽に湯を張りこむ際、湯と水を混ぜて張る為にミキシングバルブ（混合弁）が使用されてきた。これは、それぞれ流入してくる湯と水の流量を調整して、水温を調整することができる構成とされており、操作も容易でありかなり普及してきている。
【発明の開示】
【発明が解決しようとする課題】
【０００３】
しかしながら、湯の代わりに温泉水を使用した場合、泉質によりミキシングバルブが腐食したり、接液部にカルシウムやシリカ等の付着物が付いたりして温度精度が維持できないことがあった。このような状態になると、ミキシングバルブは使用できなくり、部品を交換したり、ミキシングバルブ自体を交換したりする必要があり、従来のユニットでは、浴槽への湯の供給を一旦中断しなければならなかった。
本発明は、上記事情に鑑みてなされたものであり、給湯を止めることなくミキシングバルブの交換が可能な温泉用給水管ユニットを提供することにある。
【課題を解決するための手段】
【０００４】
上記目的を達成するために、本発明の温泉用給水管ユニットは、温泉水供給管路は、二又に分岐しており、その一方はミキシングバルブを介して排出管路に接続され、他方は第１バルブを介して前記排出管路に接続されており、給水管路は、二又に分岐しており、その一方は前記ミキシングバルブを介して前記排出管路に接続され、他方は第２バルブを介して前記排出管路に接続されていることを特徴とする。
【０００５】
また、好ましくは上記構成に加えて、前記温泉水供給管路の前記分岐部には第１三方弁が設けられており、ミキシングバルブ側又は第１バルブ側に選択的に温泉水を流すことが可能とされ、給水管路の前記分岐部には第２三方弁が設けられており、ミキシングバルブ側又は第２バルブ側に選択的に水を流すことが可能とされており、ミキシングバルブと排出管路の間には、開閉弁が設けられていることを特徴とする温泉用給水管ユニットである。
【０００６】
また、好ましくは上記構成に加えて、前記開閉弁を閉じつつ、前記第１三方弁により温泉水を第１バルブ側に流すと共に、前記第２三方弁により水を第２バルブ側に流すことで、浴槽への給湯を中断することなく、前記ミキシングバルブが第１バルブと第２バルブの間に取り換え可能に設けられたことを特徴とする温泉用給水管ユニットである。
さらに、好ましくは上記各構成に加えて、前記ミキシングバルブは、その内部が防食処理を施されていることを特徴とする。
【発明の効果】
【０００７】
本発明の温泉用給水管ユニットによれば、ミキシングバルブを交換する際でも、湯の供給を中断することなく交換が可能となる。
【発明を実施するための最良の形態】
【０００８】
以下、本発明の温泉用給水管ユニットについて、実施例に基づき更に詳細に説明する。
図１は、本発明の温泉用給水管ユニットの一実施例を示す正面図である。
【０００９】
本実施例の温泉用給水管ユニットは、温泉水が通される温泉水供給管路１と、水が通される給水管路２とを備えており、これらの管路１，２を流れる温泉水と水は、ミキシングバルブ３により混合され、排出管路８を介して浴槽に流出される構成とされている。
【００１０】
温泉水供給管路１の上端部には、フランジ１１が形成されており、その下方には、順に、Ｙ型ストレーナ１２、モータバルブ１３、水高計（温度・圧力計）１４が取り付けられている。
温泉水供給管路１の下端部は、水平方向右側に屈曲してフランジ１５を介してミキシングバルブ３の第１流入口３１に接続されている。
【００１１】
また、温泉水供給管路１は、前記屈曲部において、水平方向左側に分岐している。この分岐路（温泉水バイパス路）４は、エルボ管４１を介して垂直下方に屈曲されて第１バルブ４２に接続されている。さらに、温泉水バイパス路４は、第１バルブ４２から下方に延出して、エルボ管４３を介して水平方向右側に屈曲され四方に開口したクロス管６の左側接続口６１に接続されている。
【００１２】
なお、図示例では、クロス管６は、ミキシングバルブ３の垂直下方に配置されている。
また、温泉水供給管路１の分岐部には、第１三方弁１６が設けられており、温泉水は、ミキシングバルブ３側又は第１バルブ４２側への流出を選択可能とされている。
【００１３】
給水管路２の上端部には、フランジ２１が形成されており、その下方には、順に、Ｙ型ストレーナ２２、モータバルブ２３、水高計２４が設けられている。
給水管路２の下端部は、水平方向左側に屈曲してフランジ２５を介してミキシングバルブ３の第２流入口３２に接続されている。
【００１４】
また、給水管路２は、前記屈曲部において水平方向右側に分岐している。この分岐路（水バイパス路）５は、エルボ管５１を介して垂直下方に屈曲されて第２バルブ５２に接続されている。さらに、水バイパス路５は、第２バルブ５２から下方に延出して、エルボ管５３を介して水平方向左側に屈曲されて前記クロス管６の右側接続口６２に接続されている。
給水管路２の分岐部には、第２三方弁２６が設けられており、水は、ミキシングバルブ３側又は第２バルブ５２側への流出を選択可能とされている。
【００１５】
ミキシングバルブ３は、二つの流入口３１，３２と一つの排出口３３を備えており、二つの流入口３１，３２からそれぞれ流入した温泉水と水を本体内部で混合し、流出口３３から流出する構成とされている。
【００１６】
ミキシングバルブ３の二つの流入口３１，３２から流入する温泉水と水の混合比は調整可能とされ、内部に配置されたバイメタルを利用して温度調整可能とされている。
また、ミキシングバルブ３の内部、すなわち、ミキシングバルブ３のカバー内部やスリーブなどの部品には、テフロン（登録商標）コートなどの防食処理が施されている。防食処理が施されていることで、ミキシングバルブ３の内部が温泉水に含まれる成分で腐食することが防止される。
【００１７】
ミキシングバルブ３の流出口３３には、混合管路７の上端部のフランジ７１が接続されている。混合管路７は、下方に延出して、開閉弁７２を介して前記クロス管６の上側接続口６３に接続されている。また、クロス管６の下側接続口６４には、排出管路８の一端が接続されており、排出管路８の他端は、浴槽に給湯する給湯管に接続されている。なお、排出管路８には、温度計８１が設けられている。
【００１８】
ミキシングバルブ３の流入口３１，３２及び流出口３３には、それぞれフランジが設けられており、それらに接続される管路１，２，７の端部にもフランジ１５，２５，７１が設けられており、管路とミキシングバルブとはフランジを介してボルトにより着脱可能に接続されている。従って、ミキシングバルブは、このフランジの接続箇所において各管路から外すことが可能とされる。
【００１９】
このような構成の温泉用給水管ユニットは、温泉水供給管路１の上端部のフランジ１１に温泉水の給水管が接続され、給水管路２の上端部のフランジ２１に水の給水管が接続されて使用される。
【００２０】
通常、第１三方弁１６は、温泉水供給管路１から流れてきた温泉水をミキシングバルブ３側に通し、第２三方弁５２も、給水管路２から流れてきた水をミキシングバルブ３側に通すように弁体が操作されている。また、第１バルブ４２及び第２バルブ５２は閉められており、開閉弁７２は開けられている。
【００２１】
従って、温泉水供給管路１に通された温泉水は、第１三方弁１６を介してミキシングバルブ３に流入する。また、給水管路２に通された水も、第２三方弁２６を介してミキシングバルブ３に流入する。
【００２２】
温泉水と水とは、ミキシングバルブ３内で混合され、混合された湯は、ミキシングバルブ３の流出口３３から混合管路７に流出する。なお、ミキシングバルブ３に設けられたレバーを操作して温泉水と水との混合比を変えることで湯の温度調整が可能である。
混合管路７に通された湯は、開閉弁７２及びクロス管６を介して排出管路８に通され、さらに給湯管に流出して浴槽に流れ出ていく。
【００２３】
ところで、ミキシングバルブ３は、その内部のＯリングなどの消耗品の交換が必要になることがある。また、ミキシングバルブ３自体の修理・交換が必要になる場合もある。これらの場合でも、本実施例のユニットによれば、浴槽への給湯を中止することなく、つまり、営業を中止することなく消耗品の交換やミキシングバルブ３の交換が可能である。
【００２４】
すなわち、このような場合、第１三方弁１６を温泉水バイパス路４側に、第２三方弁２６も水バイパス路５側に切り換えて、第１バルブ４２及び第２バルブ５２を開け、開閉弁７２を閉めればよい。これにより、温泉水は温泉水バイパス路４を通って第１バルブ４２を介してクロス管６に流出する。また、水も水バイパス路５を通って第２バルブ５２を介してクロス管６に流入する。なお、開閉弁７２を閉めているので、温泉水及び水はミキシングバルブ３側には流入しない。
【００２５】
クロス管６内で、温泉水と水とが混合され、混合された湯は、排出管路８を通って給湯管に流出され浴槽に流れ出ていく。
第１バルブ４２及び第２バルブ５２の開閉量を調整することで、各バイパス路４，５を流れる温泉水及び水の流量が調整され、湯の温度を調整することが可能である。
【００２６】
ところで、この状態では、ミキシングバルブ３には、温泉水や水が流出していないので、各継手部、すなわち各フランジ（１５，２５，７１）の接続部からミキシングバルブ３を取り外すことが可能である。これにより、ミキシングバルブ３の修理・交換を行なうことができる。
【００２７】
そして、修理・交換が完了したなら、再び元のように組み立てて、各三方弁１６，２６をミキシングバルブ３側に切り換えて、第１バルブ４２及び第２バルブ５２を閉め、開閉弁７２を開くことで、上述のように湯を浴槽に供給することが可能となる。
このように、本実施例のユニットによれば、ミキシングバルブの修理・交換時でも、湯の供給を止める必要がなく、しかも、第１バルブ及び第２バルブにより湯の温度を調整することも可能であり、銭湯等の営業に支障をきたさない。
【００２８】
また、本実施例の温泉用給水管ユニットを使用する一実施例について説明する。本実施例の温泉用給水管ユニットにおいて、前記各管路の径及びバルブ等が大きい大流量用のユニットと、前記各管路の径及びバルブ等が小さい少流量用のユニットを並列に設け、それぞれから浴槽への給湯を可能にする。そして、浴槽が空の場合には、大流量用のユニットで、短時間で浴槽を満水にする。満水になったなら、大流量用ユニットからの給湯を止め、小流量用のユニットで給湯を調整するのがよい。この際、少しずつ湯を供給し、浴槽から常に少しずつ溢れさせるような構成とすることも可能である。
【００２９】
なお、本明細書中の温泉には冷泉を含み、この場合には、温泉水供給管路に熱水を流し、水供給管路に冷泉を流して使用することができる。
【図面の簡単な説明】
【００３０】
【図１】本発明の温泉用給水管ユニットの一実施例を示す正面図である。
【符号の説明】
【００３１】
１  温泉水供給管路
２  給水管路
３  ミキシングバルブ
４  温泉水バイパス路
５  水バイパス路
６  クロス管
７  混合管路
８  排出管路
１６  第１三方弁
２６  第２三方弁
４２  第１バルブ
５２  第２バルブ
７２  開閉弁
【図１】
2005076241.tif 000003